(57)【特許請求の範囲】
【請求項１】
凸部と凹部とが管軸芯方向で交互に位置し、かつ、それらが環状又は螺旋状に形成された地中埋設管の単又は複数を２分割された合成樹脂製のケースからなる断面形状がほぼ矩形状の保護部材により順次覆うように構成してなる地中埋設管構造であって、前記両ケースを係止保持するための係止部及び被係止部を該両ケースに備えさせ、前記２つのケースにて地中埋設管を覆うことにより該地中埋設管の凹部内に入り込む突出部を該ケースに備えさせ、左右方向又は上下方向又は左右上下方向で併設される複数の前記保護部材を一体化させる手段を備えさせ、前記ケースの管軸芯方向一端面を該ケースの左右幅方向中央部側ほど外方側に突出する所定の曲率半径を有する突出側湾曲面に形成し、かつ、該ケースの管軸芯方向他端面を該ケースの左右幅方向中央部側ほど内方側に入り込んだ凹入側湾曲面に前記曲率半径と同一の曲率半径にて形成してなる地中埋設管構造。
【請求項２】
前記手段を、前記保護部材の外面に形成された単又は複数の外周溝と、その外周溝に沿って巻き付けて締め付けるための締付部材とから構成してなる請求項１記載の地中埋設管構造。
【請求項３】
前記手段を、前記特定の保護部材の外面に備えさせた被係止部と、この被係止部と係止させるために前記特定の保護部材と左右方向又は上下方向又は左右上下方向で隣接位置する前記他の保護部材の外面に備えさせた係止部とから構成してなる請求項１記載の地中埋設管構造。
【発明の詳細な説明】
【０００１】
【発明の属する技術分野】
本発明は、凸部と凹部とが管軸芯方向で交互に位置し、かつ、それらが環状又は螺旋状に形成された地中埋設管の単又は複数を２分割された合成樹脂製のケースからなる断面形状がほぼ矩形状の保護部材により順次覆うように構成してなる地中埋設管構造に関する。
【０００２】
【従来の技術】
近年、多数の電力ケーブルに加えて多数の通信ケーブルを地中に敷設することが多くなってきており、これら多数のケーブル類を敷設するためには、保護管となる地中埋設管を多数埋設する必要がある。そして、配設された地中埋設管の一本一本を上下で２分割された保護部材により覆うと共に、それら左右上下方向で隣り合う保護部材を一体化することによって、保護部材の強度アップを図ることができることは勿論のこと、隣り合う保護部材間に土砂が入り込むような隙間が発生することがなく、土砂を埋め戻した後で前記隙間に土砂が入り込んで道路が一部陥没してしまうといったトラブル発生がないようにしている。
そこで、従来の地中埋設管構造として、例えば特開平９−１０５４７９号公報のものがある。これは、上面に複数の平行な溝を有する下側ブロックと、下面に複数の平行な溝を有する上側ブロックとで地中埋設管を覆い、各ブロックに上下に貫通形成した複数（４個）のボルト孔に長尺なボルトを挿通させてからナットにより締め付けて上下のブロックを一体化するようにしている。
【０００３】
【発明が解決しようとする課題】
上記構成によれば、上下方向に多数のブロックを積み重ねながら地中埋設管を覆っていく場合に、各ブロックのボルト孔同士の位置合わせを行いながらブロックを積み重ねて行かなければならないだけでなく、積み重ねるブロックの数が多ければ多いほど前記位置合わせを慎重かつ正確に行わなければならず、作業が非常に手間のかかる煩わしいものであった。前記位置合わせを慎重かつ正確に行ったとしても、ボルトをボルト孔に挿通させる段階で位置ずれを起こしてスムーズに行うことができないことがあり、取扱面において不利であった。
又、上下方向でしかブロックを一体化することができないため、上下方向に多数のブロックを積み重ねるためには、上記不都合を顕著にするだけでなく、深い溝を掘らなければならない。そのため、硬い岩盤等が地中でも比較的上層部分に埋まっている場合に、深い溝を掘ることができないため、ブロックを左右に多数の平行な溝を備えたものを用いなければならず、コスト高を招くだけでなく、多数の平行な溝を有するブロックは重量や左右幅寸法が飛躍的に大きくなり、取扱面において不利になるものであった。
【０００４】
本発明が前述の状況に鑑み、解決しようとするところは、作業を容易かつ迅速に行うことができると共に、同一の保護部材を用いながらも、左右方向にも配設することができる地中埋設管構造を提供する点にある。
【０００５】
【課題を解決するための手段】
本発明の地中埋設管構造は、前述の課題解決のために、凸部と凹部とが管軸芯方向で交互に位置し、かつ、それらが環状又は螺旋状に形成された地中埋設管の単又は複数を２分割された合成樹脂製のケースからなる断面形状がほぼ矩形状の保護部材により順次覆うように構成してなる地中埋設管構造であって、前記両ケースを係止保持するための係止部及び被係止部を該両ケースに備えさせ、前記２つのケースにて地中埋設管を覆うことにより該地中埋設管の凹部内に入り込む突出部を該ケースに備えさせ、左右方向又は上下方向又は左右上下方向で併設される複数の前記保護部材を一体化させる手段を備えさせ、前記ケースの管軸芯方向一端面を該ケースの左右幅方向中央部側ほど外方側に突出する所定の曲率半径を有する突出側湾曲面に形成し、かつ、該ケースの管軸芯方向他端面を該ケースの左右幅方向中央部側ほど内方側に入り込んだ凹入側湾曲面に前記曲率半径と同一の曲率半径にて形成したことを特徴としている。従って、配設経路に沿って配置された地中埋設管に対して合成樹脂製の２つのケースからなる保護部材により順次覆っていくのである。そして、前記一方のケースに備えている被係止部と他方のケースに備えている係止部とを係止させることによって、両ケースにて地中埋設管を覆った状態で保持することができる。保護部材にて地中埋設管を覆う作業が終了すると、左右方向又は上下方向又は左右上下方向で併設された複数の保護部材は、一体化させる手段にて一体化することができる。又、前記２つのケースにて地中埋設管を覆うことによりケースに備えた突出部が地中埋設管の凹部内に入り込んでケースが地中埋設管に対して管軸芯方向に移動することを確実に阻止することができる。又、前記ケースを合成樹脂で形成することによって、軽量化を図ることができると共に、前記突出部等をケースの成型時に一体形成することができる。又、２つのケースを同一形状にすることによって、１種類のケースで済ませることができる。更に、上記のようにケースの端面を形成しているので、湾曲経路に沿ってケースを配置した場合に湾曲経路方向で隣り合うケースの端面同士間に大きな隙間が発生することがなく、確実に地中埋設管を覆うことができる。又、直線経路の場合には、経路上手側に位置するケースの凹入側湾曲面と経路下手側に隣接位置するケースの突出側湾曲面とが隙間のない状態で接当した状態になる。
【０００６】
前記手段を、前記保護部材の外面に形成された単又は複数の外周溝と、その外周溝に沿って巻き付けて締め付けるための締付部材とから構成してもよい。
保護部材を一体化する場合には、外周溝に締付部材を巻き付けて締め付けることによって、保護部材に対して締付部材が位置ずれすることなく外周溝内に位置させることができる。
【０００７】
前記手段を、前記特定の保護部材の外面に一体形成した被係止部と、この被係止部と係止させるために前記特定の保護部材と左右方向又は上下方向又は左右上下方向で隣接位置する前記他の保護部材の外面に一体形成した係止部とから構成してもよい。
上記のように構成することによって、請求項２で示すような別部材となる締付部材を備えさせる必要がないだけでなく、被係止部と係止部とを係止するだけで両者を一体化することができる。
【０００９】
【発明の実施の形態】
図１に、電線等のケーブルを収容するための地中埋設管１の複数本（図では４本）のそれぞれを保護部材２により覆ってから、それら複数（図では４個）の保護部材２を合成樹脂製（布製又は金属製でもよい）で帯状の締付部材としての締付バンド３により一体化した地中埋設管構造を示している。前記地中埋設管１は、４本の他、２本又は３本あるいは５本以上設けて実施してもよい。
【００１０】
前記地中埋設管１は、図２及び図３に示すように、外面に凸部１Ａと凹部１Ｂとが管軸芯方向で交互に位置し、かつ、それらが環状に形成された合成樹脂製のホースから構成しているが、凸部１Ａと凹部１Ｂとが螺旋状に形成されたものでもよい。又、前記地中埋設管１の材料としては、軽量化、可撓性、製造の容易化等において有利な合成樹脂が好ましいが、他の材料のものでもよい。
【００１１】
前記保護部材２は、上下方向で２分割された合成樹脂製の２つのケース２Ａ，２Ａからなり、これらケース２Ａ，２Ａは、いずれも同一のものであるため、一方の下側ケース２Ａについて説明すれば、図２及び図３に示すように、管軸芯方向に長い長方形状の底壁４と、この底壁４の４つの外周辺から上方に立ち上げられると共に管軸芯方向両側に位置して地中埋設管１の凹部１Ｂ内に入り込む半円弧状の突出部５Ａが形成された前後一対の縦壁５，５及び管軸芯方向と直交する左右一対の縦壁６，６と、前記左右一対の縦壁６，６を連結してケース２Ａの保形強度を高めると共に地中埋設管１を支持するための複数の支持部７と、前記左右一対の縦壁６，６の内面の前後４箇所のそれぞれに内側に膨出するリブ９と、これら４つのリブ９のうちの特定のリブ９，９の上端から上方に延びる係止部としての凸部１０，１０と、前記残りのリブ９，９の上端面から下方に向かって形成された被係止部としての孔１１，１１とからなっている。従って、地中埋設管１に対して２つのケース２Ａ，２Ａを上下それぞれの方向から被せることによって、ケース２Ａ，２Ａの凸部１０，１０と孔１１，１１とを係止させると共に、地中埋設管１の凹部１Ｂに前後一対の突出部５Ａ，５Ａが入り込んで地中埋設管１がケース２Ａ，２Ａに対して管軸芯方向に移動することがないように構成している。前記支持部７を地中埋設管１の凹部１Ｂに入り込んで前記突出部５Ａを形成することによって、地中埋設管１がケース２Ａ，２Ａに対して管軸芯方向に移動することを一層回避することができる利点がある。又、前記左右一対の縦壁６，６及び底壁４の管軸芯方向（前後方向）ほぼ中央部表面に、前記締付バンド３が入り込んで位置ずれしないようにするための外周溝Ｍを形成しているが、無くてもよい。前記凸部１０，１０及び孔１１，１１の個数、形状、形成位置等は、図に示されるもの以外でもよい。
【００１２】
前記のように構成された保護部材２により地中埋設管１を順次覆った後、上下左右で４個の保護部材２の外周溝Ｍに沿って前記締付バンド３を巻回して締め付けることによって、４個の保護部材２を一体化することができる（図１参照）。前記保護部材２を１本の地中埋設管１のみを覆うものに構成することによって、取扱面において有利であるが、２本以上の地中埋設管１を覆うように保護部材２を構成してもよい。
【００１３】
前記保護部材２の複数個を締付バンド３により一体化する他、図４に示すように構成してもよい。つまり、上側に位置する一方の保護部材２の外周方向で隣り合う２つの外面（上面と右側面）それぞれに、管軸芯方向（長手方向）に沿う姿勢の係止突起１２を一体形成し、かつ、残る１つの外面（左側面）に該右側面の係止突起１２が係止するための係止溝１３を管軸芯方向（長手方向）に沿って形成すると共に、下側に位置する他方の保護部材２の下面に前記上面の係止突起１２が係止するための係止溝１３を管軸芯方向（長手方向）に沿って形成して、係止突起１２と係止溝１３とを係止することによって、両者を連結できるようにしている。このように保護部材２に係止突起１２及び係止溝１３を備えさせるだけで、前記のような特別な締付バンド３を不要にすることができるだけでなく、連結作業も係止だけで済ませることができる。尚、図５及び図６に示すように、前記凸部１０及び孔１１を形成することによって、ケース２Ａ，２Ａ同士の係止が容易に解除されることを回避することができる利点がある。図では、凸部１０の先端に他の部分よりも大径な膨出部１０ａを形成すると共に、孔１１の奥部に前記膨出部１０ａを収容することができる孔１１よりも大径な収容部１１ａを形成しているが、それら凸部１０及び孔１１の形状は、図に示される形状に限定されるものではない。
【００１４】
又、前記保護部材２の左右の横側面に、図７に示すように奥側（内側）ほど幅が広くなるような縦溝１５を形成し、隣り合う保護部材２，２の縦溝１７，１７に同時に係止する図に示す形状の係止部材１４を別に作製して、実施してもよい。
【００１５】
又、前記保護部材２を構成する２つのケース２Ａ，２Ａを、凸部１０，１０と孔１１，１１とから構成することによって、両者の係止を解除して点検やケースの交換等を容易に行うことができる利点があるが、図５及び図６に示した係止固定する構成でもよいし、又、図示していないが、ケース２Ａ，２Ａに両者を係止固定するための爪部等を有する係止突起の複数とこれら係止突起に係止する同数の係止溝とを備えさせて、係止により一体化された２つのケース２Ａ，２Ａを容易に取り外すことができないように係止固定する構成としてもよい。
【００１６】
図８に示すように、前記ケース２Ａ，２Ａの管軸芯方向一端面２Ｂを該ケース２Ａ，２Ａの左右幅方向中央部側ほど外方側に突出する所定の曲率半径を有する突出側湾曲面に形成し、かつ、該ケース２Ａ，２Ａの管軸芯方向他端面２Ｃを該ケース２Ａ，２Ａの左右幅方向中央部側ほど内方側に入り込んだ凹入側湾曲面に前記曲率半径と同一の曲率半径にて形成している。従って、図に示す湾曲経路上に配置された地中埋設管１を前記ケース２Ａ，２Ａで覆うことによって、湾曲経路上で隣り合う保護部材２，２間に隙間が発生することを回避することができるようにしている。尚、図では湾曲経路の湾曲度合いが比較的小さなものを示しているため、隙間が無い状態になっているが、湾曲度合いが大きい場合でも、保護部材２，２間に大きな隙間が発生することを回避することができる。又、図には示していないが、直線の経路では、前記突出側湾曲面２Ｂと凹入側湾曲面２Ｃとが隙間のない状態で接触させることができる。
【００１７】
【発明の効果】
請求項１によれば、２つのケースを係止させる構成にすることによって、それらケースが不測に係止解除されることがなく、地中埋設管をケースにより覆う作業を容易かつ迅速に行うことができると共に、それらケース群を一体化させる手段により一体化することができるから、同一の保護部材を用いながらも、左右方向にも配設することができ、作業面及び製造面のいずれにおいても有利な地中埋設管構造を提供することができる。又、前記ケースを合成樹脂で形成することによって、軽量化を図ることができると共に、前記突出部等をケースの成型時に一体形成することができ、より一層製造面において有利になる。又、２つのケースを同一形状にすることによって、１種類のケースで済ませることができ、製造面において更に有利になる。更に、ケースの端面を湾曲面に形成しているので、湾曲経路に沿ってケースを配置した場合に湾曲経路方向で隣り合うケースの端面同士間に大きな隙間が発生することがなく、確実に地中埋設管を覆うことができ、湾曲経路に合致した形状のケースを一々作製する必要がなく、同一のケースであらゆる経路に対応することができ、コスト面において有利になる。
【００１８】
請求項２によれば、外周溝に締付部材を巻き付けて締め付けることによって、保護部材に対して締付部材が位置ずれすることなく外周溝内に位置させることができ、信頼性の高い地中埋設管構造とすることができる。
【００１９】
請求項３によれば、請求項２で示すような別部材となる締付部材を備えさせる必要がなく、コスト面において有利になるだけでなく、被係止部と係止部とを係止するだけで両者を一体化することができ、請求項１で示したようにケースの係止作業と複数の保護部材を一体化させる作業とを一挙（同時）に行うことができ、作業の迅速化を更に図ることができる。
【図面の簡単な説明】
【図１】複数の保護部材をバンドにて一体化した状態を示す斜視図である。
【図２】保護部材にて地中埋設管を覆った状態を示す横断平面図である。
【図３】保護部材にて地中埋設管を覆う直前の状態を示す分解斜視図である。
【図４】別の形状の保護部材の複数を一体化した状態を示す斜視図である。
【図５】保護部材の別の係止構造を示すケースの要部の斜視図である。
【図６】図５で示した係止突起と孔とを係止した状態を示す縦断面図である。
【図７】複数の保護部材を別の手段にて一体化する直前の状態を示す斜視図である。
【図８】別の形状の保護部材を湾曲経路に沿って連結した状態を示す平面図である。
【符号の説明】
１  地中埋設管        1A  凸部
1B  凹部              ２  保護部材
2A  ケース            2B  突出側湾曲面
2C  凹入側湾曲面      ３  締め付けバンド
４  底壁              ５  縦壁
5A  突出部            5a  上面
６  縦壁
７  支持部            ８  孔
９  リブ              10  凸部
11孔                11a  収容部
1212  係止突起
13  係止溝            14  係止部材
15  縦溝              Ｍ  外周溝
【図１】
0004509331.tif 000002
【図２】
0004509331.tif 000003
【図３】
0004509331.tif 000004
【図４】
0004509331.tif 000005
【図５】
0004509331.tif 000006
【図６】
0004509331.tif 000007
【図７】
0004509331.tif 000008
【図８】
0004509331.tif 000009